(57)【要約】【課題】携帯型情報伝送端末装置と管理局との間の音声通話用の入出力音声レベル調整を、現場側または管理局側でも容易にできるようにする。【解決手段】端末装置は、通常操作モードから音声情報の音量設定モードに切り換えたときに、登録メッセージ記憶／再生機能１７３で標準音量のメッセージを連続再生し、この再生状態で、通常操作用の通話ボタン等を、音量調整の操作信号として音声出力ゲイン調整部１５３２で通話音量を調整する。端末装置は、操作員の音声入力を録音および連続して再生して音声レベルを標準音量に合わせることも含む。管理局が標準音量のメッセージ・データまたは操作員の音声を標準音声レベルとして端末装置に転送し、これを端末装置が連続再生しながら音声出力レベルと音声入力レベルを調整、さらに管理局側の音声出力レベルを調整することを含む。【選択図】  図１
2004363970.tif 000002
【特許請求の範囲】
【請求項１】
現場で収集した画像情報と音声情報などを通信媒体を利用して管理局の情報処理装置に伝送する携帯型情報伝送端末装置であって、
前記端末装置は、
電源立ち上げ時に、前記管理局との通信開始のための操作スイッチの操作状態が通常操作とは変えられることによって通常操作モードから音声情報の音量設定モードに切り換える手段と、
前記音量設定モードになったときに、予め登録しておいた標準音量のメッセージを連続再生する手段と、
前記メッセージの連続再生状態で、前記通常操作用の複数のボタン操作で通話音量を制御する手段とを備えたことを特徴とする携帯型情報伝送端末装置。
【請求項２】
現場で収集した画像情報と音声情報などを通信媒体を利用して管理局の情報処理装置に伝送する携帯型情報伝送端末装置であって、
前記端末装置は、
電源立ち上げ時に、前記管理局との通信開始のための操作スイッチの操作状態が通常操作とは変えらることによって通常操作モードから音声情報の音量設定モードに切り換える手段と、
前記音量設定モードになったときに、端末装置の操作員の音声入力を録音および連続して再生する手段と、
前記音声入力の再生状態で、再生音声レベルを標準音量に合わせるよう音声入力レベルを調整する手段とを備えたことを特徴とする携帯型情報伝送端末装置。
【請求項３】
携帯型情報伝送端末装置が現場で収集した画像情報と音声情報などを通信媒体を利用して管理局の情報処理装置との間で情報伝送する情報伝送システムであって、
前記情報処理装置は、前記端末装置内に予め登録しておくものと同じ標準音量のメッセージ・データを保持しておく手段と、前記端末装置との通信中に前記メッセージ・データを前記端末装置に自動転送または管理局の操作員を介して転送する手段とを備え、
前記端末装置は、前記情報処理装置から転送される前記メッセージ・データを連続再生しながら音声出力レベルと音声入力レベルを調整する手段を備えたことを特徴とする情報伝送システム。
【請求項４】
携帯型情報伝送端末装置が現場で収集した画像情報と音声情報などを通信媒体を利用して管理局の情報処理装置との間で情報伝送する情報伝送システムであって、
前記情報処理装置は、管理局の操作員の音声を標準音声レベルとして前記端末装置に送信する手段を備え、
前記端末装置は、前記情報処理装置から送信された標準音声レベルを元に音声出力レベル調整と音声入力レベル調整を行い、このレベル調整した音声データを前記情報処理装置に送り返す手段を備え、
前記情報処理装置は、前記端末装置でレベル調整した音声データを元に音声出力レベルを調整する手段を備えたことを特徴とする情報伝送システム。
【発明の詳細な説明】
【０００１】
【発明の属する技術分野】
本発明は、ディジタル化された画像や音声の情報を、遠隔地にある情報処理装置に伝送するための、携帯型情報伝送端末装置およびこの端末装置を使用した情報伝送システムに関わるものである。
【０００２】
【従来の技術】
現在、携帯電話（ＰＤＣ：Ｐｏｒｔａｂｌｅ  Ｄｉｇｉｔａｌ  Ｃｅｌｌｕｌａｒ）や、ＰＨＳ（Ｐｅｒｓｏｎａｌ  Ｈａｎｄｙ−ｐｈｏｎｅ  Ｓｙｓｔｅｍ）の普及によって、モバイル通信が華やかである。その様な中に於いて、これらの通信媒体を利用し、画像データや音声データを圧縮して遠隔地にある情報処理装置（パソコンなど）に伝送し、現場の状況を報告するための携帯型情報伝送端末装置およびそれを利用した画像音声情報伝送システムが知られている（例えば、特許文献１参照）。
【０００３】
この携帯型情報伝送端末装置は、その主たる伝送情報は画像データと音声データであり、現場の映像を画像処理して伝送する機能および現場と音声による情報交換を行うのが一般的である。更に、同装置では、これら画像と音声情報の他に、制御情報（監視情報も含む）を扱う場合もある。この携帯型情報伝送端末装置の使用形態を図１６に示す。ここでは、制御情報め伝送を含んだ画像音声情報伝送システムについて考えるものとする。
【０００４】
図１６に於いて、１００が入力された画像情報と音声情報を圧縮処理して伝送するための携帯型情報伝送端末装置の本体、２００が伝送された画像情報を受信して処理するための管理局側の情報処理装置（パソコンなど）の本体である。
【０００５】
また、同図に於いて、３０１は、画像情報を入力するためのカメラ装置（ビデオ・カメラや、ディジタル・スチル・カメラなど）、３０２は音声情報を入力するためのマイクロフォン、３０３は管理局側から送られてきた音声情報を音声として出力するためのスピーカである、ここでは、３０２のマイクロフォンと３０３のスピーカは、一体になって頭部に装着できるヘッドセットを例に採っている。また、１００の情報伝送端末装置には操作パネルにスイツチ類が付属されている。このスイッチの１つにプレストーク（ボタンを押している間だけ送話ができるインターホン的な動作をする通話方式）用のスイツチがあり、このスイッチ（以下、「通話ボタン」）を押下している間、端末側の音声を伝送することが可能である。
【０００６】
また、同図に於いて、４００は情報の伝送媒体である通信網（ＰＤＣ，ＰＨＳ、アナログ電話、ＬＡＮなど）を示す。また、５０１は受信した画像情報を表示するための画像出力装置（ＣＲＴ，ＬＣＤ、ビデオ・モニタなど）、５０２は管理局側の音声を入力するためのマイクロフォン、５０３は端末側から送られてきた音声を再生するためのスピーカである。こちらも、５０２のマイ、クロフォンと５０３のスピーカは、一体になって頭部に装着できるヘッドセットを例に採っている。５０４は受信データを格納したり出力したりする情報のストレージ（ハード・ディスクなど）である。
【０００７】
図１６に於いて、遠隔地に赴いた操作員は、図に示すような体勢で、３０１のカメラから画像情報を入力し、これを１００の携帯型遠隔情報伝送端末に於いて、圧縮処理して伝送する。この情報は、４００の伝送媒体（通信網）によって遠隔地に送られるので、管理局側では、これを通信網を介して受信し、２００の情報処理装置にて伸長処理して元の画像情報に再生する。さらに管理局側では、この情報を５０１の表示装置に表示したり、データ・べ一ス・ソフトウェアなどを利用して５０４のデータ・ストレージに情報を格納して管理する。
【０００８】
この様な基本操作の補助的機能として、この装置では、現場と管理局との間で、音声情報の交換ができる。
【０００９】
まず、現場の操作員は、１００にある「通話ボタン」（プレス・トーク・スイツチ）を押しながら、３０２のマイクロフォンに向かって声を発すると、この間（スイツチを押下している間）の音声情報が、携帯型遠隔情報伝送端末に於いて、圧縮処理されて伝送される。２００の管理局側では、この音声データを受け取ると、伸長処理を施して、元の音声データを再生し、５０３のスピーカに出力する。これによって、現場の操作員の音声が、管理局側の操作員に伝えられる。
【００１０】
次に、管理局側の操作員は、２００の情報処理装置の操作を行い、５０２のマイクロフォンに向かって声を発すると、この操作の間の音声情報が情報処翠装置内で圧縮処理されて端末装置に向けて送信される。１００の情報伝送端末装置側では、通信網からこの音声データを受け取ると、伸長処理を施して、元の音声データを再生し、３０３スピーカに出力する。これによって、管理局側の操作員の音声が、現場側の操作員に伝えられる。
【００１１】
この相互の通話により、現場の状況の詳細な報告や、採りたい画像の指示などが的確に行える。
【００１２】
次に、図１７に、上記の携帯型情報伝送端末装置の機能的構成例を示す。
【００１３】
同図に於いて、１００は、破線で囲まれた全体を指し、携帯型情報伝送端末装置の全体である。（以下、携帯型情報伝送端末装置は、単に情報伝送端末と略す。）
また、３０１は画像情報を入力するための入力装置（ＣＣＤカメラなど）であり、１１０はＣＣＤカメラなどから与えられるビデオ信号をディジタル化して入力する画像入力ディジタル化処理機能（ビデオ・デコード機能）、１１１は入力された生の画像データを一時的に貯えるための画像データ入力バッファ機能、１１２は画像データのデータ量を縮小するために圧縮処理を行うための画像データ圧縮処理機能、１１３は圧縮された画像データを送信するために、一時的に格納しておくための画像データ送信バッファ機能である。
【００１４】
一方、同図に於いて、３０２は、操作者の発する声を電気信号として入力するためのマイクロフォン、１２０は取り込まれた音声信号をディジタル化して取り込むための音声入力ディジタル化処理機能、１２１は入力された音声データを一時的に貯えるための音声データ入力バッファ機能、１２２は音声データのデータ量を縮小するために圧縮処理を行うための音声データ圧縮処理機能、１２３は圧縮された音声テータを送信するために、一時的に格納しておくための音声データ送信バッファ機能である。
【００１５】
また、１３０は、１１３に貯えられた送信すべき画像データや、１２３に貯えられた音声データ、１６３に貯えられた制御データなどを通信網に向けて送信するための通信手段送信処理機能である。更に、４００は情報の伝送媒体である通信網を示す。
【００１６】
次に、同図に於いて、１０１〜１０３は、本装置に設けられた操作用のスイツチ類（操作パネル）を示しており、情報伝送端末に於ける音声伝送（入力、圧縮、送信）処理を行うべき期間を示すために、操作員が押下するための、１０３の「通話ボタン」（プレストーク用スイツチ）もその１つである。１８０はそれらのキー入力の処理機能、１８０ａは、キーの押下時と開放時を、１７０の装置統括制御機能に知らせるための割り込み信号である。
【００１７】
１７０は装置全体の統括管理を行うための装置統括制御機能であり、マイクロプロセッサがこの任に当たる。
【００１８】
更に、同図に於いて、１４０は、管理局側から通信網を介して送られてきた情報を通信網から受信し、情報伝送端末側に取り込むための通信手段受信機能である。また、１５０は通信網より受信した音声情報データ（圧縮加工されたデータ）を一時的に蓄積するための音声データ受信バッファ、１５１は蓄積された音声データを伸長処理し、元の画像データのサイズに復元するための音声データ伸長処理機能、１５２は復元された音声を再生出力するためにそのデータを一時的に格納しておくための音声データ出力バッファ機能、１５３は、音声を実際のスピーカなどから出力するための音声出力アナログ変換処理機能である。３０３は、音声出力用のスピーカである。
【００１９】
また、同図に於いて、１６０は管理局側から通信網を介して送られてきた制御情報（データ）を一時的に蓄積するための制御データ受信バッファ機能、１６１は、送られてきた制御情報によって装置の統括制御を行わせるための制御情報受信処理機能、１６２は本装置から制御情報を送信する際にこの情報を符号化するための制御情報送信処理機能、１６３は送信すべき制御情報の一時的な格納のための制御データ送信バッファ機能である。
【００２０】
また、１８１は、本装置によって制御される制御対象機器に対する入出力機能である。
【００２１】
ここで、図１７に示した機能構成例を実際に実現するためのハードウェア回路の構成例を図１８に示す。この例は、図１７に於ける、１１２「画像データ圧縮処理機能」、１２２「音声データ圧縮処理機能」、１５１「音声データ伸長処理機能」、１６１「制御情報受信処理機能」、１６２「制御情報送信処理機能」、１７０「装置統括制御機能」の各機能を、全て、性能の高いマイクロプロセッサ（ＣＰＵ）でソフトウェア的に実現する場合を示している。
【００２２】
図１８に於いて、付加された番号は、図１７と対応がなされている。同図に於いて、３０１の入力装置は、ＣＣＤを利用したビデオ・カメラや、ディジタル・カメラなどが挙げられる。３０２は、一般的な音声入力用マイクロフォン、３０３は音声出力用スピーカである。
【００２３】
４００は情報の伝送媒体である通信網であって、携帯電話網やＰＨＳ網、アナログ一般電話回線網、ＬＡＮ（Ｌｏｃａｌ  Ａｒｅａ  Ｎｅｔｗｏｒｋ）網などがこれに当たる。
【００２４】
同図に於いて、１００は、破線で囲まれた全体を指し、情報伝送端末の全体である。１１０は、画像入力ディジタル化回路であり、ビデオ・デコーダＬＳＩなどのハードウェアによって実現される。１１１は、画像データ入力バッファ・メモリである。１２０は、音声入力ディジタル化処理機能であり、音声Ａ／Ｄ（Ａｎａｌｏｇ／Ｄｉｇｉｔａｌ）変換器とコード化用のハードウェア（ＬＳＩなど）によって実現される。１２１は、音声データ入力バッファ・メモリである。
【００２５】
１３０は、情報の伝送媒体である通信網との通信インターフェース回路であり、送受信の双方向の物理階層処理を行う。
【００２６】
１５２は音声データ出力バッファ・メモリである。１５３は、音声出力アナログ変換処理回路であって、音声コードをデコードするための専用ハードウェア（ＬＳＩなど）と音声Ｄ／Ａ（Ｄｉｇｉｔａｌ／Ａｎａｌｏｇ）変換器とによって実現される。
【００２７】
更に、この装置の統括制御を行うのが、１７０の制御ＣＰＵ（マイクロプロセッサなど）である。このＣＰＵの実行環境として、１７１のプログラム・メモリ（ＲＯＭ）および１７２のワーク・メモリ（ＲＡＭ）などが必要である。これら装置全体のデータを授受するための経路が、１７０ａのＣＰＵバスである。
【００２８】
また、同図に於いて、１００ａが、装置に操作員からの指示を与えるためのスイツチ類（装置の操作パネル部）であって、「電源ボタン」「シャッター・ボタン」「通話ボタン」などがある。１８０はそのキー入力の処理回路、１８０ａは、キーの押下時と開放時を、１７０のＣＰＵに知らせるための割り込み信号である。
【００２９】
図１７に於ける、１１３「画像データ送信バツファ機能」、１２３「音声データ送信バッファ機能」は、１６３「制御データ送信バッファ機能」、１６０「制御データ受信バッファ機能」については、使用するメモリ量が比較的少なくてすむことから、図１８中の１７２のワーク・メモリ（ＲＡＭ）を利用することができる。
【００３０】
次に、図１９に、この情報伝送システムに於ける管理局側の情報処理装置（サーバ機）の仕組みについて説明する。図１９に於いて、２００は管理局側の情報処理装置（パソコンシステムなど）の全体を示す。
【００３１】
また、同図に於いて、２１０は、情報伝送端末側から通信網を介して送られてきた情報を受信し、情報処理装置側に取り込むための通信手段受信機能である。。また、２２０は通信網より受信した画像情報データ（圧縮加工されたデータ）を一時的に蓄積するための画像データ受信バッファ、２２１は蓄積された画像データを伸長処理し、元の画像データのサイズに復元するための画像データ伸長処理機能、２２２は復元された画像を映像出力するためにそのデータを一時的ヒ格納しておくための画像データ出力バッファ機能、２２３は画像を実際のビデオ・モニタやＣＲＴに表示するための画像表示出力処理機能である。
【００３２】
また、同図に於いて、２４０は管理局側から通信網を介して送られてきた制御情報（データ）を一時的に蓄積するための制御データ受信バッファ機能、２４１は送られてきた制御情報によって装置の統括制御を行わせるための制御情報受信処理機能、２４２は本装置から制御情報を送信する際にこの情報を符号化するための制御情報送信処理機能、２４３は、送信すべき制御情報の一時的な格納のための制御データ送信バッファ機能である。
【００３３】
更に、２３０は通信網より受信した音声情報データ（圧縮加工されたデータ）を一時的に蓄積するための音声データ受信バッファ、２３１は蓄積された音声データを伸長処理し、元の画像データのサイズに復元するための音声データ伸長処理機能、２３２は復元された音声を再生出力するためにそのデータを一時的に格納しておくための音声データ出力バッファ機能、２３３は音声を実際のスピーカなどから出力するための音声出力アナログ変換処理機能である。
【００３４】
また、２８０は受信した画像データや音声情報データを、蓄積管理するための情報格納処理機能（データ・べ一ス）である。
【００３５】
同図に於いて、４００は情報の伝送媒体である通信網、５０１は画像の出力機器であるＣＲＴやＬＣＤなど、５０４はハード・ディスクのような情報のストレージ機器、５０３は音声再生出力用のスピーカを示す。
【００３６】
一方、同図に於いて、５０２は操作者の発する声を電気信号として入力するためのマイクロフォン、２５０は取り込まれた音声信号をディジタル化して取り込むための音声入力ディジタル化処理機能、２５１は入力された音声データを一時的に貯えるための音声データ入力バッファ機能、２５２は音声データのデータ量を縮小するために圧縮処理を行うための音声データ圧縮処理機能、２５３は圧縮された音声データを送信するために、一時的に格納しておくための音声データ送信バッファ機能である。
【００３７】
また、２６０は、２５３に貯えられた音声データや、２４３に貯えられた制御データを通信網４００に向けて送信するための通信手段送信処理機能である。
【００３８】
なお、２１０の通信手段受信処理機能は、ハードウェアによる通信インターフェースと、その処理ソフトウェアによって実現される。２２０の画像データ受信バッファと、２３０の音声データ受信バッファ、２４０の制御データ受信バッフアは、情報処理装置（パソコン等）内のメモリである。２２２の画像データ出力バッファ機能は、画像出力専用のメモリであったり汎用のメモリが利用される場合もある。２３２の音声データ出力バッファ機能は、音声出力専用のメモリであったり汎用のメモリが利用される場合もある。２４３の制御データ送信バッファとしては通常、汎用のメモリが利用される。
【００３９】
また、２２１の画像データ伸長処理機能、２３１の音声データ伸長処理機能、２４１の制御情報受信処理機能、２４２の制御情報送信処理機能、２５２の音声データ圧縮処理、２８０の情報格納処理機能については、概ね、情報処理装置のプロセッサによるソフトウェアの実行によって実現される。
【００４０】
また、２２３の画像表示出力処理機能は、専用のＬＳＩやアナログ的インターフェース（ハードウェア）をソフトウェアで制御することによって実現される。２３３の音声出力アナログ変換処理機能は、音声コードをデコードするための専用ハードウェア（ＬＳＩなど）と音声Ｄ／Ａ変換器とによって実現される。
【００４１】
また、２５０の音声入力ディジタル化処理機能は、音声Ａ／Ｄ変換器とコード化用のハードウェア（ＬＳＩなど）によって実現される。２５１の音声データ入力バッファ機能、２５３の音声データ送信バッファ機能には、汎用のメモリなどが利用される。
【００４２】
また、２５０の通信手段送信処理機能部は、情報の伝送媒体である通信網との通信インターフェース回路であり、専用のハードウェアとマイクロ・プロセッサによるソフトウェア実行との組み合わせにて実現される。
【００４３】
【特許文献１】
特開２００２−７３３７６
【００４４】
【発明が解決しようとする課題】
さて、現在の画像音声伝送システム（当社で製品化しているシステム）の仕組みは、概ね前述の通りであるが、このシステムに於ける携帯型情報伝送端末装置側の音声入出力機能について考えることにする。
【００４５】
図１７、図１８に於いて、３０２のマイクロフォンからの音声信号入力は、１２０の音声入力ディジタル化回路部分で行われる。また、３０３のスピーカへの音声信号出力は、１５３の音声出力アナログ変換回路によって行われる。
【００４６】
この装置は、携帯型で様々な環境下で使用されるため、その状況は、千差万別であり、この装置の音声入出力部分のゲイン（音量）については、調整手段を含まなければならない。さもないと、現場と管理局側との音声が互いに聞き取れずに会話ができないという事態になったり、逆に、音が大きすぎて、不快を覚えるという事態を招くことになる。
【００４７】
そこで、現行の携帯型情報伝送端末装置では、この音声入力回路部（１２０）および音声出力回路部（１５３）に音声信号の増幅率（ゲイン）を変化させられる機能を設けるのが普通である。図２０と図２１にその例を示す。
【００４８】
図２０は、１２０の音声入力部の回路例を示しているが、同図に於いて、１２０１は入力音声信号を増幅するためのアンプ回路、１２０２は入力増幅率（入力ゲイン）の調整機能、１２０３は増幅された音声信号をディジタル化するためのＡ／Ｄ変換器である。
【００４９】
図２１は、１５３の音声出力部の回路例を示しているが、図に於いて、１５３１は、音声データをアナログ化するＤ／Ａ変換器、１５３３は音声信号を増幅してスピーカを駆動するためのアンプ回路、１５３２は、出力増幅率（出力ゲイン）の調整機能である。
【００５０】
現行の装置では、これら信号の増幅率（ゲイン）の調整部（１２０２と１５３２部）に抵抗成分を用いており、この抵抗値を、可変抵抗によって無段階に変化させたり、複数のスイツチ回路を設けて段階的に変化させたりして、このアンプ回路の増幅率を変化させている。
【００５１】
さて、ここで、実際の携帯型情報伝送端末装置の機構的な実現例を考える。
【００５２】
まず、この機能を搭載する携帯情報伝送端末の機構例として、当社にて製品化を進めている装置の形態を上部から俯瞰したものが図２２である。
【００５３】
同図において、１００ａは本装置の操作を行うスイッチや表示を集めた操作パネル部、１００ｄは本装置をベルトに実装するためのベルト・フック、１００ｅは本装置を肩掛けで使用する場合のストラップを保持するためのストラップ・フックである。
【００５４】
また、図２３は、図２２中の１００ａの操作パネル部の概観を示すものであり、同図において、１００ａが操作パネルの全体、１０１は電源ボタン、１０２はシャッター・ボタン、１０３は通話ボタンである。電源ボタンは電源の入／切、シャッター・ボタンは静止画の取り込みと送信、通話ボタンは通話期間中に押下するのが通常の使用法である。また、１０５ａ〜１０５ｃは動作表示（電源／動画、静止画、通話）用のＬＥＤ、１０６と１０７は、エラー表示や充電中表示など状態表示用のＬＥＤである。
【００５５】
また、この操作パネル部を実現するための回路は、図２４に示す通りである。この図に於いて、１１０は情報伝送端末装置の全体を制御するためのＣＰＵ、１１１はそのＣＰＵのローカルバス、１１０ａは読み出しコマンド信号（ＲＤ信号）、１１０ｂは書き込みコマンド信号（ＷＲ信号）である。また、１１２はスイッチ状態を読み込むためのＤＩ回路、１１３は表示ＬＥＤを点灯／消灯させるためのＤＯ回路である。更に、１０１は図２２の操作パネル上にある電源ボタン、１０２はシャッター・ボタン、１０３は同じく通話ボタン、１０５ａ〜１０５ｃは動作表示ＬＥＤである。
【００５６】
更に、図２２の装置を底部側から俯瞰したものが図２５である。この図に於いて、１００ｂと記載した部分が、他機器との接続を行うためのインタフェース・パネル全体であり、この部分の実現例を図２６に示している。
【００５７】
同図に於いて、ｌ００１は汎用ビデオ信号入出力端子、１００２は専用ＣＣＤカメラ接続コネクタ端子であり、図１８の１１０（画像データ入力回路）の入力部に相当する。
【００５８】
次に、１００３は音声入力ジャックであり、図１８の１２０（音声入力回路）の入力部に相当する。また、ｌ００４は音声出力ジャックであって、図１８の１５３（音声出力回路）の出力部に相当する。
【００５９】
更に、この例では、１００５が音声増幅率設定用ＤＩＰスイツチであり、図２０の１２０２部および、図２１の１５３２部に示した音声入出力のゲイン調整のための設定スイッチを配置している。
【００６０】
その他、この例では、１００６は通信カード用スロット、１００７はＤＣ電源入力ジャック、ｌ００８はメイシテテンス用シリアルーインターフェース・コネクタ、ｌ００９は、Ｓ／Ｗ動作設定用ＤＩＰスイッチなどが配置されている。
【００６１】
今、図２６の１００５部に、図２０、図２１に示した、音声の入出力に関するゲインの調整機能があることを述べたが、ここは、小型の可変抵抗器などで実現される場合もある。
【００６２】
さて、現行の携帯型情報伝送端末装置は、これまで述べたような機能と構成を有しているが、この装置を実際に使用する際の、音声の通話時に音量の調整方法に、以下のような問題があった。
【００６３】
先ず、音声の出力レベルの調整であるが、これは、現場で実際にこの情報伝送端末を利用する操作者が、その現場の状況に応じて、音声が小さい場合にはこれを大きくし、また、音声が大きすぎる場合にはこれを小さくするように、上記、図２６の１００５部で調整すれば良いのだが、現状では、実際にこの装置を使用中に、通信ケーブル（電話との間のケーブル）や、その他機器とのケーブルをつなぎ込んだまま、この小さな設定部分を調整しなければならない。この設定部は、他の部分の大きさと比較しても分かる通り、非常に小さい部分であり、設定のためには、非常に細い時計用のドライバなどを使用する必要がある。更に、この音量設定処理は屋外で悪天候の中で行う必要が出てくる可能性もあり、非常に困難な作業といえる。これが、第一の問題点である。
【００６４】
次に、現行の装置で、入力の音量レベルを調整することを考える。この場合、この装置で入力された声を実際に受け取って聞くのは、管理局側の装置である。例えば、図１９に示す２１０の通信手段受信処理機能部でこの信号を受けて、再生処理を行い、２３３の音声出力回路でスピーカに出力する訳であるから、最終的な音量の調整は、この管理局側の２３３部に設けられた出力ゲイン調整機能で行われる。しかし、この携帯型情報伝送端末装置についても、これに接続されるマイクの種類によってその入力レベルが異なることから、標準的な音量を保持するためには、入力部でゲイン調整する機能が必要である。
【００６５】
そこで、現状この入力音量レベルを調整する場合には、実際にこの装置を動作させて、現場と管理局側との間の通話を行いつつ、管理局側で音量を判断して、会話にて音量の増減の指示を現場に与えて、現場の操作者が、図２６の１００５部の物理的な調整を行うしか方法がない。
【００６６】
この調整は、第一の問題と同じように、現場で非常に小さい部分の調整をしなければならない上に、更に管理局側に、必ず操作者がいなければならず、しかも管理局側での判断を会話で知らせるという原始的な方法に頼るという問題があった。これが２つ目の問題点である。
【００６７】
本発明の目的は、携帯型情報伝送端末装置と管理局との間の音声通話に、音声通話用の入出力音声レベル調整を、現場側または管理局側でも容易に行うことができる携帯型情報伝送端末装置、およびこの端末装置を使用した情報伝送システムを提供することにある。
【００６８】
【課題を解決するための手段】
本発明は、携帯型情報伝送端末装置単体により通話音量レベルを調整、または管理局との音声データのシェークハンドにより通話音量レベルを調整し、さらに音量レベル調整操作に通常操作用のボタンを通話音量の操作手段とすることにより、実際に使用される環境に応じて、適宜、入出力される音声信号の音量を増減して、操作者が、聞きやすいあるいは話しやすい音量レベルを容易に設定できるようにしたもので、以下の装置およびシステムを特徴とする。
【００６９】
（装置の発明）
（１）現場で収集した画像情報と音声情報などを通信媒体を利用して管理局の情報処理装置に伝送する携帯型情報伝送端末装置であって、
前記端末装置は、
電源立ち上げ時に、前記管理局との通信開始のための操作スイッチの操作状態が通常操作とは変えられることによって通常操作モードから音声情報の音量設定モードに切り換える手段と、
前記音量設定モードになったときに、予め登録しておいた標準音量のメッセージを連続再生する手段と、
前記メッセージの連続再生状態で、前記通常操作用の複数のボタン操作で通話音量を制御する手段とを備えたことを特徴とする。
【００７０】
（２）現場で収集した画像情報と音声情報などを通信媒体を利用して管理局の情報処理装置に伝送する携帯型情報伝送端末装置であって、
前記端末装置は、
電源立ち上げ時に、前記管理局との通信開始のための操作スイッチの操作状態が通常操作とは変えらることによって通常操作モードから音声情報の音量設定モードに切り換える手段と、
前記音量設定モードになったときに、端末装置の操作員の音声入力を録音および連続して再生する手段と、
前記音声入力の再生状態で、再生音声レベルを標準音量に合わせるよう音声入力レベルを調整する手段とを備えたことを特徴とする。
【００７１】
（システムの発明）
（３）携帯型情報伝送端末装置が現場で収集した画像情報と音声情報などを通信媒体を利用して管理局の情報処理装置との間で情報伝送する情報伝送システムであって、
前記情報処理装置は、前記端末装置内に予め登録しておくものと同じ標準音量のメッセージ・データを保持しておく手段と、前記端末装置との通信中に前記メッセージ・データを前記端末装置に自動転送または管理局の操作員を介して転送する手段とを備え、
前記端末装置は、前記情報処理装置から転送される前記メッセージ・データを連続再生しながら音声出力レベルと音声入力レベルを調整する手段を備えたことを特徴とする。
【００７２】
（４）携帯型情報伝送端末装置が現場で収集した画像情報と音声情報などを通信媒体を利用して管理局の情報処理装置との間で情報伝送する情報伝送システムであって、
前記情報処理装置は、管理局の操作員の音声を標準音声レベルとして前記端末装置に送信する手段を備え、
前記端末装置は、前記情報処理装置から送信された標準音声レベルを元に音声出力レベル調整と音声入力レベル調整を行い、このレベル調整した音声データを前記情報処理装置に送り返す手段を備え、
前記情報処理装置は、前記端末装置でレベル調整した音声データを元に音声出力レベルを調整する手段を備えたことを特徴とする。
【００７３】
【発明の実施の形態】
＜実施形態１＞
本実施形態１および後述の実施形態２では、携帯型情報伝送端末装置を使用するシステムに於いて、その端末装置の音量レベルの調整に際して専用の小型部品を用いるのではなく、基本的な伝送用に設けられる操作スイツチ（大型）を音量レベル調整用に共用することによって、物理的な操作性を上げると共に、通信先の管理局側の操作者を介在しなくてもその調整操作が行える方式を提案する。
【００７４】
ここで、先ず、図２７を用いて従来の携帯型情報伝送端末装置の処理の流れを説明する。図において、楕円は処理フェーズＦ１〜Ｆ７を示し、太い矢印は状態の遷移を示す。
【００７５】
Ｆ１：電源オフの状態で、ここからスタートする。この例では、この状態でも電源ボタンをスキャンする機能だけは動作している。
【００７６】
Ｆ２：Ｆ１状態で、電源ボタンがクリックされると、主電源投入動作を行い、宛先指定処理を行う。例えば、予め記憶させてある複数の宛先の電話番号などの内から接続宛先を選択する。
【００７７】
Ｆ３：Ｆ２で指定された宛先との接続処理（ネットワークの接続処理）を行う。
【００７８】
Ｆ４：宛先との接続処理が完了後、装置は自動的に動画伝送状態となる。動画像データを連続的に宛先の管理局側に転送する。この状態では、電源ボタン、シャッター・ボタン、通話ボタンがスキャンされている。
【００７９】
Ｆ５：Ｆ４の動画伝送状態で、シャッター・ボタンをクリックすると、装置は静止画の画像情報を読み込み、圧縮処理を行ってその静止画データを宛先の管理局側に転送する。静止画データ転送後、自動的にＦ４に復帰する。
【００８０】
Ｆ６：Ｆ４の動画伝送状態で、通話ボタンを押下すると、装置は通話状態になる。この状態で装置は音声情報を取り込み、圧縮処理を行ってその音声データを宛先の管理局側に転送する。通話ボタンを開放すると、音声送信状態を終了し、Ｆ４に復帰する。
【００８１】
Ｆ７：Ｆ４の動画伝送状態で、電源ボタンをクリックすると装置は、接続中のネットワーク（回線）を切断し、電源をオフして初期状態に戻る。
【００８２】
このような処理手順により、携帯型情報伝送端末装置の機能が実現されている。
【００８３】
本実施形態１として、「音声出力レベルの調整を端末装置のみで実施する方式」について説明する。先ず、装置として、この方式を実現するために必要な、物理的な回路構成例を図１に示す。この図は、１５３２の音声出力ゲイン調整機能部が付記された以外は、図１７と全く同じである。特徴は、この１５３２の音声出力調整機能部に、１８１の入出力機能から出力される制御信号で、抵抗値を変えることのできる電子ボリュームＩＣなどを利用する点である。ここで言う電子ボリュームとは、入力される数ビットのデータ・コードに応じて、抵抗値を変えることのできる電子的な可変抵抗器のことである。この電子ボリュームを用いると、音声出力のゲイン調整を、１７０の装置統括制御機能（マイクロプロセッサで実現）によって実行することができるようになる。
【００８４】
このような回路構成を用いて、音声出力レベルを調整する方式を説明する。図２に、この場合の処理の導入部のフローを示す。同図に於いて、Ｆ２〜Ｆ７は、図２７の処理フローと同一である。これを装置の通常処理と呼ぶことにする。
【００８５】
これに対し、図２では、フェーズＦ１部分に、「通話ボタンの押下＋電源ボタンのクリック」を元に遷移する出力音量レベル調整フェーズＦ１１０が加わっている。つまり、フェーズＦ１の状態で状態変化を待っている時に、通話ボタンを押しながら、電源ボタンがクリックされた場合に、「出力音量レベル調整フェーズ（設定フェーズ）」処理に移行する部分が付け加わっている。
【００８６】
これにより、電源投入時に、装置のソフトウェア実行処理を設定モード（Ｆ１１０）に切り替えることができる。
【００８７】
さて、このような段取りで、出力音量レベルめ設定フェーズに入ったとする。ここで、本実施形態による音声出力レベルの調整方法であるが、図３に示す処理フローで説明する。
【００８８】
同図に於いて、楕円は処理フェーズを示し、太い矢印は状態の遷移を示す。
【００８９】
本装置の電源投入時に、通話ボタンが押下されていた場合、出力音量レベル調整処理に移行し、Ｆ１１１からＦ１１５までの処理が行われる。
【００９０】
Ｆ１１１：先ず、予め装置内のメッセージ格納メモリ（図１８内１７３部）に格納してある複数のメッセージの中から、例えば、メッセージ１（「音量が小さい場合には右矢印ボタンを、音量が大きい場合には左矢印ボタンをクリックして下さい。設定が済んだら一旦電源を切って下さい。」というメッセージ）を選択する。
【００９１】
Ｆ１１２：Ｆ１１１で選択したメッセージを、繰り返し音声再生する。この処理は、図１の１７０統括制御機能（マイクロプロセッサ）によって、１７３の登録メッセージ記憶／再生機能（メッセージ格納メモリ）からメッセージ・データを１５１の音声データ伸長処理機能以下に流し込むことによって行う。
【００９２】
Ｆ１１３：Ｆ１１２内で連続してメッセージが再生されている間に、右矢印ボタン（通話ボタンを兼用して「→」ボタンの意味を持たせる。）がクリックされた場合、図１の１７０統括制御機能（マイクロプロセッサ）は、１８１の入出力機能（特にＤＯ機能）を用いて、１５３の音声出力機能内の、１５３２の音声出力ゲイン調整機能として設けられた電子ボリュームの設定を規定のステップ分増加して出力音量が大きくなるように変更する。設定後は、自動的にＦ１１２フェーズに戻る。
【００９３】
Ｆ１１４：Ｆ１１２内で連続してメッセージが再生されている間に、左矢印ボタン（シャッター・ボタンを兼用して「←」ボタンの意味を持たせる。）がクリックされた場合、図１の１７０統括制御機能（マイクロプロセッサ）は、１８１の入出力機能（特にＤＯ機能）を用いて、１５３の音声出力機能内の、１５３２の音声出力ゲイン調整機能として設けられた電子ボリュームの設定を規定のステップ分減少させてて出力音量を小さくなるように変更する。設定後は、自動的にＦ１１２フェーズに戻る。
【００９４】
Ｆ１１５：Ｆ１１２内で連続してメッセージが再生されている間に、電源ボタンが押下された場合、図１の１７０統括制御機能（マイクロプロセッサ）は、その時点での電子ボリュームの設定値を、１７３の登録メッセージ記憶／再生機能（メッセージ格納メモリ）の一部（Ｆｌａｓｈメモリなどの不揮発メモリであれば、その他の部分でもよい）に格納してから、電源をオフして、初期状態に戻る。
【００９５】
以上の処理機能を設けることによって、出力音声を調整することができる。
【００９６】
ここで、予め登録メッセージ記憶／再生機能（メッセージ格納メモリ）に格納しておくメッセージ１のデータの音量成分は、標準値（通常の使用時に適当とされる音量値で、通常管理局側から送られてくる音量レベルの平均値）となるようにしておくことが重要である。
【００９７】
つまり、現場にて、この音量出力設定を行う場合、本装置に予め格納してある標準値の音量のメッセージを連続再生しながら、これを聞きやすいレベルに調整することにより、端末装置単体でこれを行うことができるようになる。
【００９８】
しかも、通常処理に用いられる大きな操作ボタンを、設定フェーズ時は音量設定用の調整用ボタンに使用することにより、設定部が小さすぎて現場で設定困難であるという欠点を無くすことができる。
【００９９】
＜実施形態２＞
本実施形態２として、「音声入力レベルの調整を端末装置のみで実施する方式」について説明する。先ず、装置として、この方式を実現するために必要な、物理的な回路構成例を図４に示す。この図は、１２０２の音声入力ゲイン調整機能部と、１７２の入力音声データ記憶／再生機能が付記された以外は、図１７と全く同じである。特徴は、この１２０２の音声入力調整機能部に、１８１部の入出力機能から出力される制御信号（ＤＯ信号）で、抵抗値を変えることのできる電子ボリュームＩＣなどを利用する点である。ここで言う電子ボリュームとは、入力される数ビツトのデータ・コードに応じて、抵抗値を変えることのできる電子的な可変抵抗器のことである。
【０１００】
また、１７２の入力音声データ記憶／再生機能は、図１８の１７２のワーク・メモリＳＲＡＭを使用する。これらを用いると、音声出力のゲイン調整を、１７０の装置統括制御機能（マイクロプロセッサで実現）によって実行することができるようになる。
【０１０１】
このような回路構成を用いて、音声の入力レベルを調整する方式を説明する。図５に、この場合の処理の導入部のフローを示す。同図に於いて、Ｆ２〜Ｆ７は、図２７の処理フローと同一である。これを装置の通常処理と呼ぶことにする。
【０１０２】
これに対し、図５では、フェーズＦ１部分に、「シャッター・ボタンの押下＋電源ボタンのクリック」を元に遷移する入力音量レベル調整フェーズＦ１２０が加わっている。つまり、フェーズＦ１の状態で状態変化を待っている時に、シャッター・ボタンを押しながら、電源ボタンがクリックされた場合に、「入力音量レベル調整フェーズ（設定フェーズ）」処理に移行する部分が付け加わっている。
【０１０３】
これにより、電源投入時に、装置のソフトウェア実行処理を設定モードに切り替えることができる。さて、このような段取りで、入力音量レベルの設定フェーズに入ったとする。ここで、本実施形態による音声入力レベルの調整方法であるが、図６に示す処理フローで説明する。
【０１０４】
同図に於いて、楕円は処理フェーズを示し、太い矢印は状態の遷移を示す。
【０１０５】
本装置の電源投入時に、シャッター・ボタンが押下されていた場合、入力音量レベル調整処理に移行し、Ｆ１２１から処理が行われる。
【０１０６】
Ｆ１２１：先ず、予め装置内のメッセージ格納メモリ（図１８内１７３部）に格納してある複数のメッセージの中から、例えば、メッセージ２（「先ず、通話ボタンを押したまま、約ｎ（≧１）秒間、普通の音声で話して下さい。その後ボタンを離すと、録音した音声が再生されますから、音量が小さい場合には右矢印ボタンを、音量が大きい場合には左矢印ボタンをクリックして下さい。再生音量が最適になるまでこの処理を繰り返してください。設定が済んだら一旦電源を切って下さい。」というメッセージ）を選択する。
【０１０７】
Ｆ１２２：Ｆ１２１で選択したメッセージを、音声再生する。この処理は、図４の１７０統括制御機能（マイクロプロセッサ）によって、１７３の登録メッセージ記憶／再生機能（メッセージ格納メモリ）からメッセージ・データを１５１の音声データ慎重処理機能以下に流し込むことによって行う。
【０１０８】
Ｆ１２３：１７０統括制御機能（マイクロプロセッサ）によって、１７２の入力音声データ格納メモリ・エリア（図１８の１７２のワーク・メモリＳＲＡＭを使用）から、録音された、入力音声データを読み出し、１５１の音声データ伸長処理機能以下に流し込むことによって、この録音音声を繰り返し再生する。なお、１７２部には、最初音声データは格納されていないが、Ｆ１２４とＦ１２５は１回実行した後は音声入力データが格納されている。
【０１０９】
Ｆ１２４：Ｆ１２３の中で連続して録音された音声が再生されている間に、通話ボタン（「→」ボタンの意味を兼用。）が１秒以上に渡って押下されていた場合（クリック時の押下期間はこれより遥かに短い）、操作者の発声する音声を入力する。これは、３０２のマイクロフォンから、入力された音声信号を１２０２の入力ゲイン調整部分で設定された比率で増幅して、音声データ入力バッファに貯める処理である。この処理の間に、通話ボタンが開放された場合、または、押下され続けていてもｎ秒以上経過した場合には、蓄積を止めて、Ｆ１２５に進む。
【０１１０】
Ｆ１２５：Ｆ１２４で音声データ入力バッファに貯められた、生の音声信号データを１７０の統括制御能（マイクロプロセッサ）が圧縮処理し、これを１７２の入力音声データ記憶／再生機能（ワーク・メモリＳＲＡＭ）に記憶させる（録音）である。音声データの格納（録音）が終わると、自動的にＦ１２３フェーズに戻る。
【０１１１】
Ｆ１２６：Ｆ１２３の中で連続して入力音声が再生されている間に、右矢印ボタン（通話ボタンを兼用して「→」ボタンの意味を持たせる。）がクリックされた場合、図４の１７０統括制御機能（マイクロプロセッサ）は、１８１の入出力機能（特にＤＯ機能）を用いて、１２０の音声入力機能内の、１２０２の音声出力ゲイン調整機能として設けられた電子ボリュームの設定を規定のステップ分増加して入力音量を大きくなるように変更する。設定後は、自動的にＦ１２３フェーズに戻る。
【０１１２】
Ｆ１２７：Ｆ１２３の中で連続して入力音声が再生されている間に、左矢印ボタン（シャッター・ボタンを兼用して「←」ボタンの意味を持たせる。）がクリックされた場合、図４の１７０の統括制御機能（マイクロプロセッサ）は、１８１の入出力機能（特にＤＯ機能）を用いて、１２０の音声入力機能内の、１２０２部音声出力ゲイン調整機能として設けられた電子ボリュームの設定を規定のステップ分減少させて入力音量を小さくなるように変更する。設定後は、自動的にＦ１２３フェーズに戻る。
【０１１３】
Ｆ１２８：Ｆ１２３内で連続して入力音声データが再生されている間に、電源ボタンが押下された場合、図４の１７０の統括制御機能（マイクロプロセッサ）は、その時点での電子ボリュームの設定値を、１７３の登録メッセージ記憶／再生機能（メッセージ格納メモリ）の一部（Ｆｌａｓｈメモリなどの不揮発メモリであれば、その他の部分でもよい）に格納してから、電源をオフして、初期状態に戻る。
【０１１４】
以上の処理機能を設けることによって、入力音声を調整することができる。
【０１１５】
ここで、音声入力をして、録音した音声データの再生出力レベルは、＜実施形態１＞のような方法で予め、標準値（通常の使用時に適当とされる音量値で、通常管理局側から送られてくる音量レベルの平均値）とのメッセージを再生した時に最適な音量で聞こえるように調整しておくことが望まれる。つまり、現場にて、この音量入力設定を行う場合、予め、実施形態１のような方法を用いて、音声の出力レベルをその現場で、最も聞きやすいレベルに調整しておくことが必要となる。
【０１１６】
この手法を用いることにより、この装置単体で、入力音量レベルの調整を行うことができるようになる。
【０１１７】
しかも、通常処理に用いられる大きな操作ボタンを、設定フェーズ時は音量設定用の調整用ボタンに使用することにより、設定部が小さすぎて現場で設定困難であるという欠点を無くすことができる。
【０１１８】
＜実施形態３＞
先ず、本実施形態３による形態型情報伝送端末装置の構成を図７に示す。図７に示す端末装置の構成は、前記の図１と図４の機能を全て包含する構成になっている。各部の番号と意味は、図１と図４の説明の通りである。
【０１１９】
つまり、図１７（現行の端末装置構成）に音声の入力と出力をソフトウェア的に調整できる音声入力ゲイン調整機能と、音声出力ゲイン調整機能を追加して、入出力機能で制御できるようにし、入力した音声データを入力音声データ記憶・再生機能を用いて、音声出力に流し込む機能（録音・再生機能）を追加したものである。
【０１２０】
次に、図８に、本実施形態３に於ける管理局側サーバ装置の機能構成例を示す。これは、図１９に示した現行の管理局サーバ装置の機能構成例に、２７３の登録メッセージ記憶／再生機能を追加したものである。これは、予め登録されているメッセージ用の音声データを記憶しておき、必要に応じてこれを音声データ伸張機能以降に流しこむことによって、音声を再生する機能である。その他の機能は、図１９にて説明した通りである。
【０１２１】
２７３の登録メッセージ記憶／再生機能は、基本的には、メモリ回路であって、このメモリの内容を２７０の統括制御機能が音声伸張機能以降に転送することによって音声が再生される。
【０１２２】
さて、前記実施形態１と実施形態２では端末装置単体で音量調整を行う手法を提案したが、本実施形態３（実施形態４も同じ）では、実際の回線での接続状態に応じて、的確な音量調整を行うための手法を提案する。
【０１２３】
まず、本実施形態３は、管理局側のサーバ機の標準音量を端末機側に伝えてから、これに合わせて、端末機側の音量調整をする手法である。
【０１２４】
この処理は、端末と管理局サーバが回線を介して通信状態に入ってから、調整モードに移行する必要がある。その手順を図９に示す。
【０１２５】
図９のフェーズＦｌ〜Ｆ７の流れは、図２７に示した従来の通常処理フローと全く同じである。図において、楕円は処理フェーズを示し、太い矢印は状態の遷移を示す。
【０１２６】
図９では、この処理フローのＦ４（動画伝送状態）に於いて、シャッター・ボタンが、１秒程度以上の連続押下（クリックではない）された場合、Ｆ４００の音量レベル調整フェーズ（設定フェーズ）に移行し、この設定フェーズでの設定が完了した時点で、Ｆ４の動画伝送状態に復帰するようになっている。つまり、このフローに於ける音量設定は、通常処理から一旦抜け出して、設定処理を行った後、元の通常処理に復帰するようになっている。
【０１２７】
さて、ここで、実際の音量調整の処理方式を説明する。この処理では、携帯型情報伝送端末側と、管理局サーバ側とで、一連の連携動作が行われる。これは、回線を経由して伝送される情報の種類（画像、音声、制御の３種類がある）の内の、制御情報データをハンドシェークしながら、実行する。
【０１２８】
この両サイドに於ける処理を、図１０と図１１の処理フローに示して説明する。まず、図１０は、携帯端末側の処理フローである。図に於けるＦ４０１〜Ｆ４１６のフェーズの順に内容を示す。
【０１２９】
Ｆ４０１：図９のＦ４から、音量レベル調整フェーズ（設定フェーズ）に入るとまず、端末装置内の統括制御機能（図７の１７０部）を実現するマイクロプロセッサは、同図の１６２の制御情報送信処理機能を用いて、管理局サーバ装置に対して、「音量設定フェーズ開始通知」情報を送信する。これにより、端末側から、管理局サーバに対して、音量設定のための処理に同期することを要求する。
【０１３０】
Ｆ４０２：管理局側から、「音量設定フェーズ開始通知」に対するアクノリッジが返送されて来た場合、このフェーズに入り、端末側は、管理局側から送られて来る音声データを取り込んで録音するための準備を行う。
【０１３１】
Ｆ４０３：Ｆ４０２で録音の準備が完了すると、端末装置は、管理局サーバ装置に対して、「標準音量音声データ要求コマンド」を発行（送信）する。これにより、端末装置は、管理局サーバに対して、管理局サーバ内で標準的な入出力音量レベルと定めてある音量を持った音声データを送ることを要求する。
【０１３２】
Ｆ４０４：管理局サーバ側から、「標準音量音声データ」が送られてくると、端末側は、このデータを図７の１７２の入力音声データ記憶・再生機能（ワーク・メモリにて処理）に格納する。この場合には、通信回線から送られて来る音声データは、図７の１４０部→１５０部→１７２部の流れで格納される。
【０１３３】
Ｆ４０５：Ｆ４０４で１７２の入力音声データ記憶／再生機能に録音した、管理局サーバから送られてきた音声データを、繰り返し音声再生する。この処理は、図７の１７０の統括制御機能（マイクロプロセッサ）によって、１７２の入力音声データ記憶・再生機能（ワーク・メモリ）から音声データを取り出し、１５１の音声データ伸長処理機能以下に流し込むことによって行う。この時再生される音声の音量は、管理局サーバ側のシステムで、標準値とされる値である。
【０１３４】
Ｆ４０６：Ｆ４０５内で連続して音声データが再生されている間に、右矢印ボタン（通話ボタンを兼用して「→」ボタンの意味を持たせる。）がクリックされた場合、図７の１７０の統括制御機能（マイクロプロセッサ）は、１８１の入出力機能（特にＤＯ機能）を用いて、１５３の音声出力機能内の、１５３２の音声出力ゲイン調整機能として設けられた電子ボリュームの設定を規定のステップ分増加して出力音量を大きくなるように変更する。設定後は、自動的にＦ４０６フェーズに戻る。
【０１３５】
Ｆ４０７：Ｆ４０５内で連続して音声データが再生されている間に、左矢印ボタン（シャッター・ボタンを兼用して「←」ボタンの意味を持たせる。）がクリックされた場合、図７の１７０の統括制御機能（マイクロプロセッサ）は、１８１の入出力機能（特にＤＯ機能）を用いて、１５３の音声出力機能内の、１５３２部音声出力ゲイン調整機能として設けられた電子ボリュームの設定を規定のステップ分減少させてて出力音量を小さくなるように変更する。設定後は、自動的にＦ４０５フェーズに戻る。
【０１３６】
Ｆ４０８：Ｆ４０５内で連続して音声データが再生されている間に、シャッター・ボタン（確定ボタンと兼用）が押下された場合、図７の１７０の統括制御機能（マイクロプロセッサ）は、その時点での電子ボリュームの設定値を、１７３の登録メッセージ記憶／再生機能（メッセージ格納メモリ）の一部（Ｆｌａｓｈメモリなどの不揮発メモリであれば、その他の部分でもよい）に格納する。ここまでで、音声出力レベルの調整は完了である。
【０１３７】
Ｆ４０９：ここから、音声入力レベルの調整となる。まず、装置内のメッセージ格納メモリ（図７内の１７３部）に格納してある複数のメッセージの中から、音声入力調整ガイド・メッセージ（「先ず、通話ボタンを押したまま、約ｎ（≧１）秒間、普通の音声で話して下さい。その後ボタンを離すと、録音した音声が再生されますから、音量が小さい場合には右矢印ボタンを、音量が大きい場合には左矢印ボタンをクリックして下さい。再生音量が最適になるまでこの処理を繰り返してください。調整が完了したら、シャッター・ボタンを１秒以上押して下さい。」というメッセージ）を選択して、これを再生する。（この処理は、機能的には必須ではない。）
Ｆ４１０：図７の１７０の統括制御機能（マイクロプロセッサ）によって、１７２の入力音声データ格納メモリ・エリア（図１８の１７２部ワーク・メモリＳＲＡＭを使用）から、録音された入力音声データを読み出し、１５１の音声データ伸長処理機能以下に流し込むことによって、この録音音声を繰り返し再生する。なお、１７２部には、最初、音声データは格納されていないが、Ｆ４１１，Ｆ４１２を１回実行した後は、音声入力データが格納されている。
【０１３８】
Ｆ４１１：Ｆ４１０の中で連続して録音された音声が再生されている間に、通話ボタン（「→」ボタンの意味を兼用。）が１秒以上に渡って押下されていた場合（クリック時の押下期間はこれより遥かに短い）操作者の発声する音声を入力する。これは、３０２のマイクロフォンから、入力された音声信号を１２０２の入力ゲイン調整部分で設定された比率で増幅して、音声データ入力バッファに貯める処理である。この処理の間に、通話ボタンが開放された場合、または、押下され続けていてもｎ秒以上経過した場合には、蓄積を止めて、Ｆ４１２に進む。
【０１３９】
Ｆ４１２：Ｆ４１１で音声データ入力バッファに貯められた、生の音声信号データを１７０の統括制御能（マイクロプロセッサ）が圧縮処理し、これを１７２の入力音声データ記憶／再生機能（ワーク・メモリＳＲＡＭ）に記憶させる（録音）である。音声データの格納（録音）が終わると、自動的にＦ４１０フェーズに戻る。
【０１４０】
Ｆ４１３：Ｆ４１０の中で連続して入力音声が再生されている間に、右矢印ボタン（通話ボタンを兼用して「→」ボタンの意味を持たせる。）がクリックされた場合、図７の１７０の統括制御機能（マイクロプロセッサ）は、１８１の入出力襟能（特にＤＯ機能）を用いて、１２０の音声入力機能内の、１２０２部音声入力ゲイン調整機能として設けられた電子ボリュームの設定を規定のステップ分増加して入力音量を大きくなるように変更する。設定後は、自動的にＦ４１０フェーズに戻る。
【０１４１】
Ｆ４１４：Ｆ４１０の中で連続して入力音声が再生されている間に、左矢印ボタン（シャッター・ボタンを兼用して「←」ボタンの意味を持たせる。）がクリックされた場合、図７の１７０の統括制御機能（マイクロプロセッサ）は、１８１の入出力機能（特にＤＯ機能）を用いて、１２０の音声入力機能内の、１２０２の音声入力ゲイン調整機能として設けられた電子ボリュームの設定を規定のステップ分減少させて入力音量を小さくなるように変更する。設定後は、自動的にＦ４１０フェーズに戻る。
【０１４２】
Ｆ４１５：Ｆ４１０内で連続して入力音声データが再生されている間に、シャッター・ボタンが１秒以上連続して押下された場合、図７の１７０の統括制御機能（マイクロプロセッサ）は、その時点での電子ボリュームの設定値を、１７３の登録メッセージ記憶／再生機能（メッセージ格納メモリ）の一部（Ｆｌａｓｈメモリなどの不揮発メモリであれば、その他の部分でもよい）に格納する。ここまでで、端末装置の入力音声レベルの調整が完了する。
【０１４３】
Ｆ４１６：端末装置は、管理局サーバに対して音量設定処理が完了したことを知らせるために、回線を用いて、「音量設定終了通知」情報を送信する。この通知に対して、管理局サーバからアクノリッジが返送されたことを確認すると、端末は設定フェーズを完了して、図９のＦ４（動画伝送）フェーズに戻る。
【０１４４】
一方、管理局サーバ側の処理手順を図１１と図１２を用いて説明する。図１１は、管理局サーバ装置側が、通常処理の動画受信中から、音量レベル調整フェーズ（設定フェーズ）に移行する導入部を示している。このように管理局サーバでは、端末側から受け取る「音量設定フェーズ開始通知」情報を受け取ると音量レベル調整フェーズに移行し、このフェーズ内で、端末から、「音量設定終了通知」情報を受け取ると、元の通常処理（動画受信状態）に戻る。
【０１４５】
図１２には、音量レベル調整フェーズ（設定フェーズ）に於ける管理局サーバ装置の処理の手順を示している。図に於けるＦ１００１〜Ｆ１００５のフェーズの順に内容を示す。
【０１４６】
Ｆ１００１：管理局サーバは、端末側からの「音量設定フェーズ開始通知」情報を受け取ると、このフェーズに入り、この通知に対する「アクノリッジ」情報を発行（返送）する。
【０１４７】
Ｆ１００２：次に、端末側で録音準備が整うと、端末側から、「音声データ要求通知」情報が送られて来るので、その情報を待って待機する。このフェーズで、端末側から、「音声データ要求通知」情報を受信すると、次のフェーズに進む。
【０１４８】
Ｆ１００３：管理局サーバで音声の入出力に使用していた標準音量成分を持たせた「音声データ」を用意して、端末に対して送信する。この音声データは、例えば、「この音声を用いて音量設定を行って下さい。音量が小さい場合には右矢印ボタンを、音量が大きい場合には左矢印ボタンをクリックして下さい。設定が済んだらシャッター・ボタンを１秒以上押し続けて下さい。」というメッセージ・データとしておく。
【０１４９】
Ｆ１００４：Ｆ１００３で音声データを送った後は、「音量設定完了通知」情報待ちの待機状態になる。端末側から、「音量設定完了通知」情報を受け取ると次に進む。
【０１５０】
Ｆ１００５：「音量設定完了通知」情報に対する「アクノリッジ」情報を、端末側に発行（送信）して、通常処理の動画受信フェーズに復帰する。
【０１５１】
以上のような管理局サーバ側の手順とする。ここで示した、携帯型情報伝送端末装置と、管理局サーバ装置が、この手順を連携して行うことによって、端末側の音量調整をオンライン状態で実行可能にすると共に、現場での操作性を極めて高くすることができる。
【０１５２】
しかも、本実施形態３の場合は、管理局側で操作者の介在がなくてもこの処理を行うことができるために、端末側の必要性に応じて、随時この調整（設定変更）を行うことができるという利点もある。
【０１５３】
ただし、この実施形態３が管理局側での人の操作（介在）なしで対応できる理由として、標準音量の音声データを予め記憶しておくという手段を用いることが特徴であるが、例えば、操作する人間の個人差（発声の大きさや、受け取る音量に対する大小レベルの感受性が異なる）があるため、それぞれの使用状態での最適音量にはならない可能性も残されている。
【０１５４】
そこで、以下の実施形態４では、実際に管理局側と端末側で操作者がコミュニケーションをしている状況での、実使用形態に最適化できるオンラインでの音声レベル調整方法を提案する。
【０１５５】
＜実施形態４＞
本実施形態４を実現する装置の構成は、端末側は図７、管理局サーバ側は図８に示す通りであり、実施形態３の場合と同じである。
【０１５６】
本実施形態４と実施形態３との違いは、管理局側のサーバから、端末に対して与える「音声データ」について、予め装置に記憶させた標準音量の音声データ（メッセージ）の代わりに、其の時点の操作者が、実際に普通の音量で発声した音声を圧縮して「音声データ」情報にする点と、これを元に、端末側にて、出力音声レベル調整と、入力音声レベル調整を行った後、この端末に於ける入力音声レベル調整に用いた「音声データ」を、管理局サーバ側に送信し、この音声データに合わせて管理局サーバ側が出力音声レベルの調整を行うという点である。
【０１５７】
つまり、システムの使用状況に応じて、実際の操作者の発声音量が、端末の音声出力レベルを決め、端末の音声入力レベルを決め、最後に管理局側の音声出力レベルを決めることになる。
【０１５８】
この一連の操作を端末側の処理と管理局サーバ側との処理に分けて処理フローで説明する。この一連の操作は、端末側から開始され、その導入部は、図９と同一である。実際の端末での処理フローは図１３に示す通りである。図に於いて、Ｆ４０１〜Ｆ４１５までのフェーズは、実施形態３の場合と同じである。Ｆ４２０以降の内容を示す。
【０１５９】
端末側では、Ｆ４１５までのフェーズで、音声入力レベルを音声出力レベルに合わせて適量に調整する操作が済んでおり、その場合の音量設定値の記憶も完了している。
【０１６０】
Ｆ４２０：端末側では、入力音量調整時に最後に入力した音声データ（適切な音量と判断された時点のデータ）を「基準入力音量データ」として、管理局サーバに送信する。
【０１６１】
Ｆ４２１：管理局サーバ側は、上記「基準入力音量データ」を元に、サーバ機の音声出力調整を行った後、端末に対して、「音量設定終了通知」情報を送って来るので、これを待って待機する。
【０１６２】
Ｆ４２２：管理局側から送られて来る「音量設定終了通知」情報を受信して確認した後、管理局サーバに対して、「アクノリッジ」を返送（送信）し、通常処理（動画伝送フェーズ）に復帰する。
【０１６３】
端末側の処理は以上である。
【０１６４】
次に、管理局サーバ側の処理を説明する。図１４と、図１５がその処理フローである。図１４は、管理局サーバ側が、音量レベル設定フェーズに移行する部分であるが、これは、基本的には図１１と同じであるが、通常処理に復帰する条件が、「音量設定終了通知に対するアクノリッジの受信」に変わっている。これは、「音量設定終了通知」の発行元が、端末側から、管理局側に移ったためである。
【０１６５】
図１５は、管理局サーバ側の処理手順である。管理局サーバは、音量レベル設定フェーズに入ると、図１５のＦ１１０１〜Ｆ１１１１を実行する。
【０１６６】
Ｆ１１０ｌ：管理局サーバは、端末から受け取った「音量設定フェーズ開始通知」情報に対して、「アクノリッジ」情報を返送（送信）する。
【０１６７】
Ｆ１１０２：その後、端末側で音声データ受信の準備ができるのを待ち、「音声データ要求」情報を待つ。
【０１６８】
Ｆ１１０３：端末からの「音声データ要求」情報を受け取ると、管理局サーバはその操作者に対して、普通の音量で発声することを促すメッセージを再生する。例えば、「これから標準音量の音声データを録音して端末側に送信します。適当なメッセージをｎ秒間程度、普通の声量で発声して下さい。」とする。
【０１６９】
Ｆ１１０４：操作者が発生するメッセージを録音する。
【０１７０】
Ｆ１１０５：Ｆ１１０４にて録音した実際の音声データを端末装置に向けて送信する。
【０１７１】
Ｆ１１０６：端末側では、Ｆ１１０５にて送られた実音声データを受け取ると、先ず出力音声レベルの調整を行い、その後、入力音声レベルの調整を行ってから、端末側で実際に入力された適正レベルの入力音声レベルの音声データを送って来るので、それを待って待機する。
【０１７２】
Ｆ１１０７：端末側からの、端末入力音声データを受信すると、これを一時的に記憶して、繰り返し連続的に再生する。
【０１７３】
Ｆ１１０８：管理局のサーバ装置は、パソコンのようなものであるから、音量の調整は汎用の音量調整ユーティリティを用いて行うことができるが、Ｆ１１０７フェーズで音声を再生した結果、音量が小さいと判断される場合には、出力ゲインを調整して音量を増やす操作を行う。これには、操作者の操作を伴う。
【０１７４】
Ｆ１１０９：Ｆ１１０７フェーズで音声を再生した結果、音量が大きいと判断された場合には、出力ゲインを調整して音量を減らす操作を行う。この操作も操作者によって行われる。
【０１７５】
Ｆ１１１０：出力章量が適切なレベルヒ調整されたら、音量調整ユーティリティの実行を止め、端末装置に対して、「音量設定完了通知」情報を送信する。
【０１７６】
Ｆ１１１１：端末側から送られて来る、「音量設定完了通知」情報に対する「アクノリッジ」情報を待って待機する。端末からの「アクノリッジ」を受け取ると、一連の音量設定処理が完了したことになるので、「音量レベル調整フェーズ」から抜けて、通常処理内の動画受信状態に復帰する。
【０１７７】
以上が本実施形態４の設定方法であるが、この方法の場合には、端末側と管理局側の双方に操作者が付いて音量設定を行わなければならないが、管理局側のサーバ装置の機種や、それを操作する操作員の個人差などによって、標準音量から乖離してしまう実際の適正な音量にシステムの入出力音量を合わせこむことが可能になる。
【０１７８】
また、端末から見た場合に管理局が複数あったり、操作者が複数存在するような場合には、実際に使用する環境が変わる度に、この音量設定方法を用いれば、いつでも適正音量に合わせ込んでシステムを利用することができるようになる。
【０１７９】
【発明の効果】
ディジタル化された画像や音声、および制御の情報を、遠隔地にある情報装置との間で相互に伝送するための携帯型情報伝送端末装置と、それら端末装置との間で情報を授受管理する情報処理装置とからなる情報通信システムに於いて、現場側の、携帯型情報伝送端末装置では、実際に使用される環境に応じて、適宜、入出力される音声信号の音量を増減して、操作者が、聞きやすいあるいは話しやすい音量レベルを設定することが必要である。
【０１８０】
しかし、従来の携帯型情報端末装置は、これを純粋はハードウェアで調整できるような、スイツチや、可変抵抗（ボリューム）などが用意されているのが普通であるが、実際の装置はそもそも携帯に適するように小型化しているため、この調整要素も、小型のピンセットやドライバを利用しなければ調整できないことが多く、更に、調整部分の防水化はむずかしく、逆にいうと水がかかってしまうような環境での調整は不可能となっていた。
【０１８１】
また、この調整ができるような条件が揃ったとしても、この調整を行うためには、端末側と管理局側との実際の通信状態（通話状態）でなければならず、管理局側にいる人との会話をしながら調整する必要があった。特に、音声入力については、相手に聞こえている音量が分からないため、会話の中で、音量を上げるのか、小さくするのか確認しながら、極めて合理性に欠ける手段を採りながら調整する必要があった。
【０１８２】
本発明によれば、音声通話用の入出力音声レベルの調整を、現場側及び管理局側でも容易に行うことができる。具体的には、以下の効果がある。
【０１８３】
（１）実施形態１では、携帯型情報伝送端末装置に、予め登録しておいた標準音量のメッセージを再生しながら、これを聞きやすいレベルに調整する。これにより、管理局側との通信が行われていない状態でも、端末装置単体で、音声出力レベルを調整することができる。
【０１８４】
また、実際のゲイン調整部のハードウェアに電子ボリュームを用いることによって音量を調整できるようにしておき、通常処理では、電源オン／オフ指令、通話指令・静止画取得指令に用いられる３つの大型の操作ボタン（スイツチ）に、音量増加、音量減少、確定という別の意味を重複して持たせることによって、大きめの操作ボタンの操作で、出力音量の変更指定ができる。
【０１８５】
これにより、現場に於いて、非常に小さいスイツチやボリュームの調整を行わなくても、通常の操作スイッチ操作で音量調整ができるようになる。
【０１８６】
（２）実施形態２では、携帯型情報伝送端末装置に、その現場で音声入力して録音した、通常音量の音声を再生出力しながら、この音量を標準レベルに合わせるように入力レベルを調整する。これにより、管理局側との通信が行われていない状態でも、端末装置単体で、音声入力レベルを調整することができる。
【０１８７】
（３）実施形態３では、端末装置に予め格納してある標準音量の音声データを使うのではなく、管理局サーバ装置毎に異なる、サーバ装置固有の標準音量データを管理局サーバ装置内に記憶・格納しておき、端末と管理局サーバが通常の伝送処理を行っている状態で、端末からの要求でこの音声データを端末に送信し、これを端末側で再生しながら音量調整を行う。
【０１８８】
これにより、端末側の音量調整を実使用状態の中でオンラインで実行可能になると共に、サーバ機毎に異なる標準音量レベルに対応することも可能となり、更に、現場での操作性を極めて高くすることができる。
【０１８９】
しかも、管理局側で操作者の介在がなくてもこの処理を行うことができるために、端末側の必要性に応じて、随時この調整（設定変更）を行うことができるという利点もある。
【０１９０】
（４）実施形態４では、実施形態３では対応できない、操作する人間の個人差（発声の大きさや、受け取る音量に対する大小レベルの感受性が異なる）に対応するために、実際に使用する操作者の通常発生音量を標準レベルとして、このレベルの音声データを端末に送り、音声出力調整、音声入力調整を行った後、この設定値で入力した端末の音声データを管理局側に送り返すことによって、管理局側の出力レベルを調整するという、一連のレベル合わせを行うことができる。
【０１９１】
この場合、管理局側には操作者が付いて、操作を行わなければならないが、その操作者の発声音量に合わせ込んだ調整が行えるため、操作者の個人差に対応した、適正な音量調整が可能となる。
【０１９２】
また、端末から見た場合に管理局が複数あったり、操作者が複数存在するような場合には、実際に使用する環境が変わる度に、この音量設定方法を用いれば、いつでも適正音量に合わせ込んでシステムを利用することができるようになる。
【図面の簡単な説明】
【図１】本発明の実施形態１の携帯型情報伝送端末装置の機能構成例。
【図２】実施形態１の携帯型情報伝送端末装置の処理フロー例（導入部）。
【図３】実施形態１の携帯型情報伝送端末装置の処理フロー例（処理部）。
【図４】本発明の実施形態２の携帯型情報伝送端末装置の機能構成例。
【図５】実施形態２の携帯型情報伝送端末装置の処理フロー例（導入部）。
【図６】実施形態２の携帯型情報伝送端末装置の処理フロー例（処理部）。
【図７】本発明の実施形態３と４の携帯型情報伝送端末装置の機能構成例。
【図８】実施形態３の管理局側サーバ装置の機能構成例。
【図９】実施形態３の携帯型情報伝送端末装置の処理フロー例（導入部）。
【図１０】実施形態３の携帯型情報伝送端末装置の処理フロー例（処理部）。
【図１１】実施形態３の管理局側サーバ装置の処理フロー例（導入部）。
【図１２】実施形態３の管理局側サーバ装置の処理フロー例（処理部）。
【図１３】実施形態４の携帯型情報伝送端末装置の処理フロー例（処理部）。
【図１４】実施形態４の管理局側サーバ装置の処理フロー例（導入部）。
【図１５】実施形態４の管理局側サーバ装置の処理フロー例（処理部）。
【図１６】従来の遠隔情報伝送システムの使用形態。
【図１７】従来の携帯型情報伝送端末装置の機能構成例。
【図１８】従来の携帯型情報伝送端末装置の回路構成例。
【図１９】従来の管理局側サーバ装置の機能構成例。
【図２０】従来装置の音声入力回路部の詳細。
【図２１】従来装置の音声出力回路部の詳細。
【図２２】従来の携帯型情報伝送端末装置の概観（操作パネル側から俯瞰）。
【図２３】従来の携帯型情報伝送端末装置の操作パネルの実現例。
【図２４】従来の操作パネル部の回路例。
【図２５】従来の携帯型情報伝送端末装置の概観（インタフェース・パネル側から俯瞰）。
【図２６】従来の携帯型情報伝送端末装置のインタフェース・パネルの機能配置図。
【図２７】従来の携帯型情報伝送端末装置の処理フロー例。
【符号の説明】
１００…携帯型情報伝送端末装置の本体
２００…管理局側の情報処理装置
１７０…情報統括制御機能
１５３２…音声出力ゲイン調整機能
１２０２…音声入力ゲイン調整機能
１７２…入力音声データ記憶／再生機能
２７３…登録メッセージ記憶／再生機能
【図１】
2004363970.tif 000003
【図２】
2004363970.tif 000004
【図３】
2004363970.tif 000005
【図４】
2004363970.tif 000006
【図５】
2004363970.tif 000007
【図６】
2004363970.tif 000008
【図７】
2004363970.tif 000009
【図８】
2004363970.tif 000010
【図９】
2004363970.tif 000011
【図１０】
2004363970.tif 000012
【図１１】
2004363970.tif 000013
【図１２】
2004363970.tif 000014
【図１３】
2004363970.tif 000015
【図１４】
2004363970.tif 000016
【図１５】
2004363970.tif 000017
【図１６】
2004363970.tif 000018
【図１７】
2004363970.tif 000019
【図１８】
2004363970.tif 000020
【図１９】
2004363970.tif 000021
【図２０】
2004363970.tif 000022
【図２１】
2004363970.tif 000023
【図２２】
2004363970.tif 000024
【図２３】
2004363970.tif 000025
【図２４】
2004363970.tif 000026
【図２５】
2004363970.tif 000027
【図２６】
2004363970.tif 000028
【図２７】
2004363970.tif 000029